(57)【要約】      （修正有）【課題】騒音漏れや風の吹き抜けを防止し、かつ、美観上も優れた工事現場の仮囲い用防音シートを提供する。【解決手段】方形のシート本体２の右端縁部に連結用の鳩目が一列に形成され、該シート本体２の左端縁部に第１の鳩目４が一列に形成され、シート本体２の左端縁部の内側に第２の鳩目６が一列に形成されたテープ５を取り付け、第１の鳩目４と第２の鳩目６との間の間隔を２０〜３０ミリメートルとし、シート本体２の表面側には、連結時にシート本体２の突合せ部分、右端縁部の鳩目８、第１の鳩目４、第２の鳩目６およびその周辺部分を覆うカバーシート１０を取り付ける。【選択図】図２
0003167735.tif 000002
【実用新案登録請求の範囲】
【請求項１】
方形のシート本体の右端縁部に連結用の鳩目が一列に形成され、該シート本体の左端縁部に第１の鳩目が一列に形成され、該シート本体の左端縁部の内側に第２の鳩目が一列に形成されたテープを取り付け、前記第１の鳩目と第２の鳩目との間の間隔を２０〜３０ミリメートルとし、前記シート本体の表面側には、該シート本体の連結時に、該シート本体の突合せ部分、前記右端縁部の鳩目、前記第１の鳩目、前記第２の鳩目およびその周辺部分を覆うカバーシートを取り付けたことを特徴とする工事現場の仮囲い用防音シート。
【請求項２】
前記カバーシートの裏面には雄又は雌の面ファスナを取り付け、前記シート本体の右端縁部の表面には雌又は雄の面ファスナを取り付け、各々の面ファスナ同士を接合させるようにしたことを特徴とする請求項１記載の工事現場の仮囲い用防音シート。
【考案の詳細な説明】
【技術分野】
【０００１】
本考案は、建築工事現場等において、足場となる仮設構造物の外側に張設するための工事現場の仮囲い用防音シートに関するものである。
【背景技術】
【０００２】
工事現場の仮囲い用防音シートは、仮設構造物の外側に張設して、工事現場から種々の建築材が歩道等に落下するのを防止し、通行人等の安全を確保するとともに、騒音の防音のために使用されている。仮設構造物は、柱と梁とを主体として構成されるが、隣接する柱間の距離には、インチサイズとメーターサイズとがある。インチサイズはアメリカで採用されている規格であり、隣接する柱間の距離は１８２９ｍｍ、メーターサイズは日本で採用されている規格であり、隣接する柱間の距離は１８００ｍｍと決められており、日本では、両者が併存して使用されているのが実状である。
【０００３】
そのため、仮設構造物の外側に張設される建築工事用シートにも、インチサイズとメーターサイズとがあり、インチサイズで形成された仮設構造物にはインチサイズの建築工事用シートが適用され、メーターサイズで形成された仮設構造物にはメーターサイズの建築工事用シートが適用されることになる。従って、仮囲い用防音シートを調達する場合には、仮設構造物がインチサイズで形成されているか、又はメーターサイズで形成されているかを、予め確認しなければならないという煩雑さがあった。
【０００４】
このような煩雑さを解消するため、鳩目までの長さが異なる２枚のテープをシート本体に取り付けて、インチサイズ、メーターサイズのいずれの仮設構造物にも適用できる工事現場の仮囲い用防音シートが提案されている（例えば特許文献１を参照）。
【先行技術文献】
【特許文献】
【０００５】
【特許文献１】特開平１０−２９２２８０号公報
【考案の概要】
【考案が解決しようとする課題】
【０００６】
特許文献１に示されているような仮囲い用防音シートは、インチサイズとメーターサイズの両者を準備しなければならない煩雑さは解消されるが、テープの鳩目を利用してシートを連結した場合、両側のテープの突合せ部分に隙間が生じやすく、この隙間から工事の騒音が漏れたり、風が吹き抜けたりするばかりでなく、使用していないテープが外方にはみ出し、美観上も好ましくないという問題があった。
【０００７】
本考案は、上記課題を解決するもので、騒音漏れや風の吹き抜けを防止し、かつ、美観上も優れた工事現場の仮囲い用防音シートを提供することを目的とする。
【課題を解決するための手段】
【０００８】
請求項１記載の工事現場の仮囲い用防音シートは、方形のシート本体の右端縁部に連結用の鳩目が一列に形成され、該シート本体の左端縁部に第１の鳩目が一列に形成され、該シート本体の左端縁部の内側に第２の鳩目が一列に形成されたテープを取り付け、前記第１の鳩目と第２の鳩目との間の間隔を２０〜３０ミリメートルとし、前記シート本体の表面側には、該シート本体の連結時に、該シート本体の突合せ部分、前記右端縁部の鳩目、前記第１の鳩目、第２の鳩目およびその周辺部分を覆うカバーシートを取り付けたことを特徴とする。
【０００９】
請求項２記載の工事現場の仮囲い用防音シートは、請求項１記載の工事現場の仮囲い用防音シートであって、前記カバーシートの裏面には雄又は雌の面ファスナを取り付け、前記シート本体の右端縁部の表面には雌又は雄の面ファスナを取り付け、各々の面ファスナ同士を接合させるようにしたことを特徴とする。
【考案の効果】
【００１０】
本考案によれば、柱間の間隔がインチサイズ、メーターサイズの場合のいずれにも使用することができるとともに、シート本体の端縁部にカバーシートを設けたことにより、シート本体の連結部分を覆い隠すことができ、連結部分の隙間からの騒音漏れや風の吹き抜けを防止することができるとともに、美観上も優れた工事現場の仮囲い用防音シートが得られる。
【図面の簡単な説明】
【００１１】
【図１】工事現場の仮囲い用防音シートの実施形態を示す裏面図である。
【図２】図１の横断面図である。
【図３】図１の表面図である。
【図４】本考案の仮囲い用防音シートの要部の断面図である。
【図５】仮囲い用防音シートのインチサイズでの使用状態を示す断面図である。
【図６】仮囲い用防音シートのメーターサイズでの使用状態を示す断面図である。
【考案を実施するための形態】
【００１２】
以下、本考案の一実施形態を図面に基づいて説明する。
図１は、本考案の仮囲い用防音シートの連結状態の裏面図、図２は、図１の横断面図、図３は、仮囲い用防音シートの表面図、図４は、仮囲い用防音シートの左端縁部分の拡大断面図である。仮囲い用防音シート１は、編織物等よりなる方形のシート本体２を有し、このシート本体２の右辺には連結具７を挿通するための複数個の鳩目８が形成され、上下辺（下辺は図示を省略）にも同様の鳩目１５が適宜の間隔で一列に形成されている。
【００１３】
図１、図４に示すように、シート本体２の左側の端縁部２aにインチサイズ用の第１の鳩目４が一列に設けられている。この左端縁部２aの裏側に対向するように、メーターサイズ用のテープ５が縫着部９によりシート本体２の裏面に固定されている。テープ５にはメーターサイズ用の第２の鳩目６が一列に形成されている。
【００１４】
第１の鳩目４と右辺の鳩目８との間の間隔（孔の中心間の最長間隔、以下同じ）は１８２９ミリメートルであり、第２の鳩目６と右辺の鳩目８との間の間隔は１８００ミリメートルである。したがって、第１の鳩目４と第２の鳩目６との間の間隔は、正確には２９ミリメートルであるが、２０〜３０ミリメートルの範囲であれば実施可能となる。
【００１５】
なお、ここに上下辺というのは、仮囲い用防音シート１を仮設構造物に張設した際に、上下に位置する辺のことを意味し、左辺というのは、図１に示す裏面から見て左に位置する側辺のこと、右辺というのは、図１に示す裏面から見て右に位置する側辺のこととして説明している。実際の張設においては、左右は不定であるため、本明細書における左辺の用語は右辺、右辺の用語は左辺として読み替えることができる。
【００１６】
シート本体２の表面側には、端縁部２aよりも左方にはみだすように、カバーシート１０が縫着部９によりシート本体２の表面に固定されている。カバーシートの裏面には雄又は雌の面ファスナ１１が取り付けられている。シート本体２の右辺には面ファスナ１１に対応する雌又は雄の面ファスナ１２が取り付けられている。
【００１７】
図５は、インチサイズ用の第１の鳩目４を利用してシート本体２を連結した状態を示す。右辺の鳩目８と第１の鳩目４に連結具７を通し、柱１３に縛り付ける。
【００１８】
図６は、メーターサイズ用の第２の鳩目６を利用してシート本体２を連結した状態を示す。右辺の鳩目８と第２の鳩目６に連結具７を通し、柱１３に縛り付ける。
【００１９】
このようにして、柱１３の間隔がインチサイズ、メーターサイズのいずれであっても、仮設構造物の外側に仮囲い用防音シート１を張設することができる。
【００２０】
図５、図６に示すように、カバーシート１０をシート本体２の表面側に被せ、面ファスナ１１、１２を接合させることにより、シート本体２同士の突合せ部分１４が覆われるため、突合せ部分１４から騒音が洩れたり、風が吹き抜けることが防止されるとともに、突合せ部分１４のほか、第１の鳩目４、第２の鳩目８およびその周辺部分が覆い隠されるため、美観の向上にも寄与することができる。特に、図６に示すように、メーターサイズ用の第２の鳩目６を利用すると、シート本体２の端縁部２aが表面にはみだす状態となるが、カバーシート１０で覆われるため、美観を損なうことが避けられる。
【００２１】
上記実施形態では、第１の鳩目４をインチサイズ用とし、テープ５にメーターサイズ用の第２の鳩目６を形成した例を示しているが、テープ５を第１の鳩目４の位置より長くして、第２の鳩目６をインチサイズ用、第１の鳩目４をメーターサイズ用として利用するような構造でもよい。また、カバーシート１０をシート本体２と一体に形成し、その裏面に第１の鳩目４を設けたテープを、さらにその裏面に第２の鳩目６を設けたテープを取り付けた構造でもよい。
【００２２】
以上のように、本考案の工事現場の仮囲い用防音シートは、柱間の間隔がインチサイズ、メーターサイズの場合のいずれにも使用することができるとともに、シート本体２の端縁部にカバーシート１０を設けたことにより、シート本体２の連結部分１４を覆い隠すことができ、連結部分１４の隙間からの騒音漏れや風の吹き抜けを防止することができる。
【符号の説明】
【００２３】
１  仮囲い用防音シート
２  シート本体
２a  端縁部
４  第１の鳩目（インチサイズ用）
５  テープ
６  第２の鳩目（メーターサイズ用）
７  連結具
１０  カバーシート
１１、１２  面ファスナ
１４  突合せ部分
【図１】
0003167735.tif 000003
【図２】
0003167735.tif 000004
【図３】
0003167735.tif 000005
【図４】
0003167735.tif 000006
【図５】
0003167735.tif 000007
【図６】
0003167735.tif 000008